(57)【特許請求の範囲】
【請求項１】
前面に遊技領域が形成された遊技盤と、前記遊技盤を立設姿勢で収容保持する枠部材と、前記枠部材の裏面側に配設される裏セット盤とを備えた弾球遊技機において、
前記裏セット盤の前面側には、前記遊技盤から排出された遊技済み球を下方の球排出口に導くための裏側排出通路構成溝が前方に開いて形成され、
前記枠部材の裏面側には、前記遊技済み球を前記球排出口に導くための枠側排出通路溝が後方に開いて形成され、
前記裏セット盤が前記枠部材の裏面側に配設されたときに、前記裏側排出通路溝と前記枠側排出通路溝とが位置整合して対向し、前記遊技済み球を前記球排出口に導く球排出通路が形成され、
前記球排出通路には、前記遊技済み球が流下する衝撃を吸収して減速させるための衝撃緩衝突起が設けられることを特徴とする弾球遊技機の経路機構。
【請求項２】
前記遊技済み球は、遊技領域に設けられた入賞口に落入した遊技球であるセーフ球と前記入賞口に落入しなかった遊技球であるアウト球からなり、
前記セーフ球と前記アウト球は、前記球排出通路の途上で集合することを特徴とする請求項１記載の弾球遊技機の経路機構。
【発明の詳細な説明】
【０００１】
【発明の属する技術分野】
本発明は、前面に遊技領域が形成された遊技盤と、遊技盤を立設姿勢で収容保持する枠部材と、遊技盤の裏面側に設けられて常には枠部材の裏面側を覆って配設される裏セット盤とを備えた弾球遊技機における遊技球の処理経路に関する。
【０００２】
【従来の技術】
上記のような処理経路を備えた弾球遊技機の代表例としてパチンコ機がある。パチンコ機には、前面に遊技領域が形成された遊技盤と、この遊技盤を立設姿勢で収容保持する前枠と、遊技盤の裏面側に設けられて常には前枠の裏面側を覆って配設される裏セット盤とを備え、遊技者が遊技球を遊技領域に打ち出して遊技領域内を落下移動させ、この遊技領域内に多数の遊技釘とともに設けられた入賞具に遊技球を落入させてゲームを行うようになっている。入賞具に落入した遊技球（「セーフ球」と称される）は、各入賞具に設けられた入賞球検出器によって検出され遊技盤の裏面側に排出される。遊技領域の下端には入賞具に落入せずに遊技領域を落下した遊技球（「アウト球」と称される）を遊技盤の裏面側に排出させるアウト口が形成されている。入賞球検出器でセーフ球が検出されると入賞状態に応じた所定数量の遊技球が球払出装置から払い出され、パチンコ機の前面に設けられた球皿に導かれるようになっている。
【０００３】
裏セット盤には、遊技盤の裏面側に排出されたセーフ球を流下させるセーフ球排出通路やアウト球を流下させるアウト球排出通路が別個独立して形成され、あるいはセーフ球およびアウト球（これらをまとめて「遊技済み球」と称する）を集合させて流下させる遊技済み球排出通路が形成され、これらの球排出通路の下端に形成された球排出口から遊技施設側の回収バケットに排出されるようになっている。
【０００４】
また、裏セット盤には、遊技球を貯留する球貯留タンクや、球貯留タンクに貯留された遊技球を球払出装置に整列させて導く整列通路、遊技盤における入賞状態に応じて所定数量の遊技球を払い出す球払出装置、球払出装置から払い出された遊技球（これを「賞球」と称する）を遊技機前面の上球皿に排出させる上球皿払出通路、上球皿が満杯となり上球皿払出通路の上流部まで賞球が充満された状態でさらに賞球が払い出されたときに、上球皿払出通路から溢れる賞球を下球皿に流下させる下球皿払出通路などの賞球機構および払出通路が設けられている（例えば、特許文献１を参照）。
【０００５】
そして以上のような各機構装置や球通路が設けられた裏セット盤の裏面側に、電源基板、主制御基板、払出制御基板、ランプ・音声制御基板、ターミナル基板などの各種回路基板が基板ケースに収められて着脱可能に取り付けられ、各回路基板と電気部品・装置とがワイヤーハーネス（コネクタケーブル）で接続されてパチンコ機が構成される。
【０００６】
【特許文献１】
特開２００２−２１９２５４号公報（第５〜８図）
【０００７】
【発明が解決しようとする課題】
ここで、上述した球排出通路は、単位時間あたりに流下する遊技球の通過数量に応じた一定の断面積が必要とされる。例えば、通常は最も通過数量が少ないと考えられるセーフ球通路でも、いわゆる大当たりが発生した時の通過数量は急激に増大し、またアウト球排出通路とセーフ球排出通路とを一体化させた遊技済み球排出通路では、アウト球およびセーフ球が集合されて流下するため通過数量は個別の球排出通路よりも多量になる。一方、裏セット盤の面積は外周に位置する外枠の枠サイズよりも大型化することはできず、限られた一定面積内に前述した複数の球通路を形成し通路断面積を確保しなければならない。そこで、従来では各球通路の断面積を確保する手段として球通路の前後方向寸法（奥行き）を拡大し、これによって必要とされる通路断面積を確保していた。
【０００８】
しかしながら、このような従来の経路機構では、通路断面積を確保しようとすれば裏セット盤の前後方向寸法（厚さ）が厚くなり、必然的に裏セット盤の裏面側に取り付けられた回路基板の後方への突出量が増大する。このことは、パチンコ機全体の厚さが大型化することによって取り扱い性が悪化する等の問題に限らず、例えば、遊技島に設置しようとしたときに、パチンコ機の後端が遊技島の反対面に取り付けられたパチンコ機の後端と干渉して取付困難であったり、取付可能であっても回路基板の後方に所要空間を確保できないため放熱効果が十分に得られない場合がある、という問題があった。
【０００９】
また、上記問題に対処する手段として回路基板を薄型化することも考案されるが、例えば、電源基板について例示すれば、本来所定容量のコンデンサを１個実装すれば足りるにも拘わらず、薄型化するために背の低い小型コンデンサを２個実装する必要が生じ、実装部品が増大したり回路パターンが複雑化して生産コストが増大するという課題や、高密度実装すれば単位面積あたりの発熱量が増大し従来以上に放熱効果が悪化するおそれがあるという課題があった。
【００１０】
本発明はこのような事情に鑑みて成されたものであり、従来同様の外枠サイズの制約のもとで、厚さ寸法が大型化しやすい裏セット盤を薄型に構成でき、これにより遊技島への設置が困難とされた問題や、回路基板の放熱効果の問題、回路基板の回路構成の問題等を解決し得る弾球遊技機の経路機構を提供することを目的とする。
【００１１】
【課題を解決するための手段】
上記目的達成のため、本発明は、前面に遊技領域が形成された遊技盤と、この遊技盤を立設姿勢で収容保持する枠部材と、枠部材の裏面側に配設される裏セット盤とを備えた弾球遊技機において、裏セット盤の前面側には、遊技盤から排出された遊技済み球を下方の球排出口に導くための裏側排出通路溝が前方に開いて形成され、枠部材の裏面側には、遊技済み球を球排出口に導くための枠側排出通路溝が後方に開いて形成され、裏セット盤が枠部材の裏面側に配設されたときに、裏側排出通路溝と枠側排出通路溝とが位置整合して対向し、遊技済み球を球排出口に導く球排出通路が形成されるように経路機構を構成する。
【００１２】
このような経路機構を備えた弾球遊技機では、従来裏セット盤側に形成されていた球排出通路が、枠部材側の枠側排出通路溝と裏セット盤側の裏側排出通路溝とに分割して形成されており、裏セット盤が枠部材の裏面側を覆って配設されたとき、すなわち通常の遊技状態において、これらの通路溝が相対向して一体の球排出通路を形成する。このため、例えば、外枠サイズの制約にともなう通路幅一定の条件下で、従来の球排出通路と同一の通路断面積を確保するように両通路溝を設定したときに、枠部材に形成した枠側排出通路溝の溝深さ分だけ裏側排出通路溝の溝深さ（奥行き）を低減することができ、これにより裏セット盤の厚さを低減して薄型に構成することができる。
【００１３】
また、球排出通路には、遊技済み球が流下する衝撃を吸収して減速させるための衝撃緩衝突起が設けられるように構成してもよい。
【００１４】
【発明の実施の形態】
以下、本発明の好ましい実施形態について添付図面を参照しながら説明する。実施例では、前枠の正面奥部に遊技盤が収容保持された形態のパチンコ機ＰＭに本発明を適用した場合を主として説明する。図１にパチンコ機全体の正面図を、図２にパチンコ機ＰＭの背面図（遊技盤の裏面構成を記載省略している）を、図３に外枠を取り外して裏セット盤を開放した状態におけるパチンコ機の背面図を示しており、まずこれらの図面を参照しながらパチンコ機ＰＭの概要構成について説明する。
【００１５】
パチンコ機ＰＭは、外郭方形枠サイズに構成されて縦向きの固定保持枠をなす外枠１の開口前面に、これに合わせた方形枠サイズに構成されて開閉搭載用の前枠２が互いの正面左側に配設されたヒンジ機構３ａ，３ｂで横開き開閉および着脱が可能に取り付けられ、正面右側に設けられたダブル錠と称される施錠装置４を利用して常には外枠１と係合された閉鎖状態に保持される。
【００１６】
前枠２の前面上部には、前枠２の前面域に合わせた方形状のガラス扉５および上球皿６が正面左側に設けられたヒンジ機構で横開き開閉および着脱が可能に取り付けられ、正面右側に設けられた施錠装置４および球皿施錠装置を利用して前枠２の前面を覆う閉鎖状態に保持される。前枠２の前面下部には、下球皿７が設けられ、この下球皿７と並んで遊技球の発射操作を行う操作ハンドル８が取り付けられている。
【００１７】
前枠２の上部には、ガラス扉５の背後に位置して遊技盤２０を立設姿勢で収容する収容枠１５が一体に成型されるとともに、この収容枠１５に収容された遊技盤と係脱可能に係合して遊技盤２０を固定保持するクランプレバー１６，１６…が設けられており、遊技盤２０が着脱可能に収容保持されて常には閉鎖保持されるガラス扉５にその前面の遊技領域ＰＡを臨ませている。
【００１８】
遊技盤２０は、所定板厚の積層合板の表面にセルを貼り付けて所定形状にルーター加工した化粧板（「ベニヤ」とも称される）２１を基板として構成される。化粧板２１の前面側には、案内レールに囲まれて略円形の遊技領域ＰＡが区画形成され、この遊技領域ＰＡに多数本の遊技釘とともに風車や各種入賞具２４、遊技の進行状況に応じて所定の画像を表示させる画像表示装置２５などの遊技構成部品が取り付けられ、遊技領域ＰＡの下端部には入賞具２４に入賞せずに落下した遊技球を遊技盤２０の裏面側に排出させるアウト口２６が設けられている。
【００１９】
前枠２の前面側には上球皿６の背後に位置して遊技盤２０と上下に整合し得る遊技補助盤１０が形成され（後述する図９等を参照）、遊技球発射装置１１の発射レール１２や、遊技球発射装置によって打ち出された遊技球のうち遊技領域ＰＡに到達できずに戻ってきたファール球を回収して下球皿７に流下させるファール球回収通路６５、遊技の展開状態に応じて効果音を発生させるスピーカなどが設けられている。前枠２の下部裏面側には、操作ハンドル８の回動操作に基づいて遊技球を発射する遊技球発射装置１１の発射機後部が設けられている。
【００２０】
前枠２の裏面側には、外枠１の内寸サイズよりも幾分小型の方形枠状に形成された裏セット盤３０が、互いの背面右側に配設されたヒンジ機構１７ａ，１７ｂにより横開き開閉および着脱可能に取り付けられ、背面左側に設けられたロックレバー１８，１８…を用いて常には前枠２の裏面を覆う閉鎖状態に保持される。裏セット盤３０の各部には、遊技球を貯留する球貯留タンク３１や球貯留タンクから供給された遊技球を整列させて流下させる整列通路３２、遊技盤２０における入賞状態等に基づいて遊技球を払い出す球払出装置３３、球払出装置３３から払い出された遊技球を上球皿６に導く上球皿払出通路３４などの賞球機構が設けられている。また、裏セット盤３０の裏面側には電源基盤４１や主制御基板４２、払出制御基板４３、ランプ・音声制御基板４４、ターミナル基板４６などの各種回路基盤が基板ケースに収容されて取り付けられ、これらの回路基板と電気・電子部品が図示省略するワイヤーハーネスで接続されて遊技可能に構成される。
【００２１】
パチンコ機ＰＭは、ガラス扉５、上球皿６、裏セット盤３０等が閉止され施錠された状態で遊技に供され、上球皿６に遊技球を貯留させて操作ハンドル８を回動操作することにより遊技が開始される。操作ハンドル８が回動操作されると、上球皿６に貯留された遊技球が上球皿６の背面側に取り付けられた球送りカセットにより１球ずつ遊技球発射装置に送り出され、遊技球発射装置のハンマにより遊技領域ＰＡに打ち出されてパチンコゲームが展開される。
【００２２】
このように概要構成されるパチンコ機ＰＭにあって、遊技盤２０からその裏面側に排出された遊技済み球を遊技施設側の回収バケットに導くための遊技済み球排出通路５０、および上球皿払出通路３４が充満状態でさらに球払出装置３３から遊技球が払い出されたときに溢れる遊技球を下球皿７に導く下球皿払出通路７０が、前枠２の裏面側および裏セット盤３０の前面側に形成されている。
【００２３】
以下、まず遊技済み球排出通路５０について図４〜図６の各図を参照しながら説明する。なお、図４はパチンコ機ＰＭの平断面図、図５は遊技済み球排出通路５０および下球皿払出通路７０の要部を示す背面図、図６は図５中の矢印VI−VIに沿った遊技済み球排出通路５０を主として示す側断面図である。
【００２４】
ここで、遊技済み球排出通路５０に排出される遊技球、すなわち、遊技盤２０からその裏面側に排出される遊技球について概要説明すると、遊技領域ＰＡに打ち出された遊技球は、この領域を落下する過程で入賞具２４に落入したセーフ球と入賞具２４に落入せずに遊技領域ＰＡを落下したアウト球とに大別される。このうち、入賞具２４に落入したセーフ球は各入賞具に設けられた入賞球検出器によって検出され、化粧板２１の表裏を貫通して形成されたセーフ球流通路を通って遊技盤２０の裏面側に排出される。また入賞具２４に落入せずに遊技領域ＰＡを落下したアウト球は、円弧状の内レールによって遊技領域下端のアウト口２６に集められ化粧板２１を表裏貫通して形成されたアウト球流通路を通って遊技盤２０の裏面側に排出される。
【００２５】
遊技盤２０の裏面側には、化粧板２１の裏面との間に所定間隔をおいて背後を覆う球寄せカバー２７，２８が取り付けられており、遊技盤２０の裏面側に排出されたアウト球およびセーフ球を化粧板２１の裏面に沿って落下させる。下側の球寄せカバー２８は、化粧板２１の裏面に沿って落下した遊技済み球（アウト球およびセーフ球）を受け止めて流下させる樋状に形成されており、受け止めた遊技済み球を中央部に集合させて、下端に開口形成された集合出口２９から流下させるようになっている。
【００２６】
集合出口２９と繋がって、遊技済み球排出通路５０が設けられる。遊技済み球排出通路５０は、前枠２の裏面側に後方に開いて形成された枠側排出通路溝５２と、裏セット盤３０の前面側に前方に開いて形成された裏側排出通路溝５３とからなり、前枠２の裏面側を覆うように裏セット盤３０を閉鎖したときに、枠側排出通路溝５２と裏側排出通路溝５３とが位置整合して対向し、一体の遊技済み球排出通路５０を形成するように構成される。
【００２７】
枠側排出通路溝５２は、前枠２から後方に突出するリブ状の通路壁によって形成され、遊技補助盤１０の裏側に位置する上部領域では、この通路溝が前枠２の裏面側に一体成型されている。裏側排出通路溝５３は、裏セット盤３０から前方に突出するリブ状の通路壁によって形成され、裏セット盤３０の前面側に一体成型されている。そして裏セット盤３０を閉鎖したときに、枠側排出通路溝５２の通路壁と裏側排出通路溝５３の通路壁とが整合して前後に繋がる通路壁を形成し、これにより枠側排出通路溝５２と裏側排出通路溝５３とが連結した一体の遊技済み球球排出通路５０を形成する。
【００２８】
枠側排出通路溝５２および裏側排出通路溝５３には、通路溝の壁面から通路内方に向けて突出する緩衝突起５２ｄ、５３ｄがそれぞれ複数形成されており、この通路内を流下する遊技済み球を各緩衝突起で受け止めて流下方向を前後・左右に折り返し流下速度を減速させるようになっている。各図にはこのような流下速度低減用の緩衝突起の一部として、緩衝部材５６を球排出通路の略中間位置に配設した形態を例示しており、例えば、高分子材料の発泡成型体やゲル状部材、ポリウレタンやポリアセタール等のゴム材料ないし樹脂材料など、減衰性が高い材料を用いて図示形状に加工成形し、通路溝に設けた円筒状のボスを利用して取り付けている。これにより、この球排出通路５０を流下する遊技済み球の流下速度をより効果的に減衰させて下端の球排出口５９に導くようになっている。
【００２９】
また、枠側排出通路溝５２の上流部には、上端が円筒状のボスに枢支され下方の壁面状のレバー部が揺動可能な球詰まり検出レバー５４が配設されるとともに、その背後にこの検出レバー５４の揺動角度位置を検出するリミットスイッチ形態の球詰まり検出器５５が取り付けられており、遊技済み球排出通路５０に球詰まりが生じたときにその状態を検出可能になっている。なお、球詰まり検出器５５の検出信号は主制御基板４２に入力されており、主制御基板４２はこの検出信号に基づいて所定の警報作動、例えばターミナル基板４６を介してパチンコ機上方に設けられた報知ランプを点滅表示等させる。
【００３０】
前枠２の下部では、遊技補助盤１０の裏面よりも前方に深く枠側排出通路溝８２が形成され、裏セット盤３０側には前方に突出して遊技済み球の流下速度を減速させるとともに上下の通路壁を形成する緩衝誘導突起５３ｅが形成されている。この領域の枠側排出通路溝８２は、図１０に斜視図を示すように、隣接する下球皿連絡バケット８３と一体に成型されており、このように一体成型されたバケット構造体８０を前枠２の裏面下部にねじ止めすることで、上方の枠側排出通路溝５２と位置整合した通路溝が形成され、この背後を覆って裏セット盤３０を閉鎖させたときに上下に繋がる一連の遊技済み球排出通路５０が形成される。
【００３１】
この枠側排出通路溝８２の下部には後方に下傾した導出通路壁５７が形成されるとともにその後方に水平に延びる通路壁５８が形成されており、裏側排出通路溝５３に突出成型された緩衝誘導突起５３ｅの下側に、後方に開口する球排出口５９が形成される。球排出口５９の形成位置は遊技島に設けられた回収バケットＢＫの配設位置に合わせて設定されている。
【００３２】
このような構成の遊技済み球排出通路５０を備えたパチンコ機ＰＭでは、遊技盤２０から化粧板２１の裏面側に排出された遊技済み球（アウト球およびセーフ球）が、球寄せカバー２８に受け止められて集合され下端の集合出口２９から遊技済み球排出通路５０に流入する。この排出通路５０に流入した遊技済み球は、まず裏側排出通路溝５３の上部に突出成型された緩衝突起５３ｄに受け止められて落下速度が減速されたうえ、前方に折り返されて枠側排出通路溝５２側に流入し、以降枠側排出通路溝５２および裏側排出通路溝５３に形成された緩衝突起５２ｄ，５３ｄ、緩衝部材５６、緩衝誘導突起５３ｅ等により多段に折り返されて落下速度が緩和された状態で導出通路壁５７に落下し、この通路壁の傾斜に従って下端の球排出口５９から遊技施設側の回収バケットＢＫに向けて後方に流下する。このように球排出口５９では遊技球の流下速度が十分に減速されているため、回収バケットＢＫで遊技球が乱反射し飛散するようなことがない。
【００３３】
そして、以上のような構成の遊技済み球排出通路５０を備えたパチンコ機ＰＭでは、遊技済み球排出通路５０の前方部分が枠側排出通路溝５２として前枠２に形成されているため、この枠側排出通路溝５２の深さに相当する寸法分、裏セット盤３０の厚さを低減させることができ、例えば図６に示すように、この遊技済み球排出通路５０の背後に基板が取り付けられるような場合であっても、その取付位置を図６中に付記するＤ寸法の分だけ前方に配設することができる。これにより、従来問題になりがちであった設置スペースの問題（パチンコ機の奥行き寸法の問題）や、回路基板の放熱効果の問題、基板設計における回路構成の制約の問題等を改善したパチンコ機を提供することができる。
【００３４】
次に、以上説明した遊技済み球排出通路５０と左右に並んで形成される下球皿払出通路７０について、既に参照した図２〜図５に、図７〜図１２の各図を加えて参照しながら説明する。ここで、図７は球払出装置３３から払い出された遊技球を上球皿６に導く払出通路の通路構成を示すパチンコ機の平断面図、図８は図７中に付記する矢印VIII−VIIIに沿った側断面図、図９は図５中の矢印IX−IXに沿った下球皿払出通路７０を主として示す側断面図、図１０は前枠２の裏面下部に取り付けられるバケット構造体８０を斜め後方から見た斜視図、図１１はバケット構造体８０の平面図、図１２は図６および図９中の矢印XII−XIIに沿った平断面図である。
【００３５】
既に概要説明したように、裏セット盤３０には遊技盤２０における入賞状態に基づいて遊技球（賞球）を払い出す球払出装置３３が設けられており、この球払出装置３３の下方には、払い出された遊技球を上球皿６に導く上球皿払出通路３４と払い出された遊技球を下球皿７に導く下球皿払出通路７０とが形成される。上球皿払出通路３４と下球皿払出通路７０とは遊技盤２０の下端近傍の高さ位置では仕切壁３４ｗを隔てて左右に並んで配設され、この仕切壁よりも上方で一体の球払出通路となって球払出装置３３の払出口に繋がっている。
【００３６】
上球皿払出通路３４は、球払出装置３３の略鉛直下方に設けられており、球払出装置３３から払い出された遊技球が直接落下して流下するようになっている。上球皿払出通路３４は、その下端の通路面が前方に傾斜して形成されるとともに裏セット盤３０の前面側に開口する払出口が形成されており、裏セット盤３０を閉鎖したときに、遊技補助盤１０の正面左上部に前枠２を前後貫通して形成された通出口３５と位置整合して連絡するようになっている。また通出口３５の前方には、上球皿６を閉鎖したときに通出口３５と位置整合して連絡する角筒状の通出樋３６が形成されている。
【００３７】
このため、球払出装置３３から払い出された遊技球は、通常では、上球皿払出通路３４に落下してこの通路面を流下し、下端の払出口から通出口３５および通出樋３６を通って上球皿６に流下する。
【００３８】
上球皿払出通路３４の正面右側には所定高さの仕切壁３４ｗが形成され、この仕切壁３４ｗを挟んで分岐通路３８が形成され、その下方に下球皿払出通路７０が形成される。分岐通路３８は球払出装置３３の下方で正面視右側にオフセットして設けられており、球払出装置３３から払い出された遊技球が直接分岐通路３８に落入しないようになっている。裏セット盤３０の裏面にネジ固定された通路カバーには、仕切壁３４ｗの上端の高さ位置に合わせて分岐通路３８方向に傾斜する溢れ球通路３７が後方に膨出成型されるとともに、分岐通路３８の内部に突出するリブ状の緩衝誘導突起３８ｄが突出成型されている。
【００３９】
このため、上球皿６が払い出された遊技球で満杯となり、さらに通出樋３６、通出口３５、上球皿払出通路３４の仕切壁３４ｗの上端まで遊技球が充満された状態で、さらに球払出装置３３から遊技球が払い出されると、上球皿払出通路３４から溢れ出る遊技球が仕切壁３４ｗを越えて分岐通路３８に流入し、あるいは溢れ球通路３７を転動流下して分岐通路３８に流入し、この分岐通路３８の下部の緩衝誘導突起３８ｄにより流下速度が減速されるとともに前方に偏向され、分岐出口３９から下球皿払出通路７０に流入する。
【００４０】
分岐出口３９で分岐通路３８と繋がる下球皿払出通路７０は、前枠２の裏面側に後方に開いて形成された枠側払出通路溝７２と、裏セット盤３０の前面側に前方に開いて形成された裏側払出通路溝７３とからなり、前枠２の裏面側を覆うように裏セット盤３０を閉鎖したときに、枠側払出通路溝７２と裏側払出通路溝７３とが位置整合して対向し、一体の下球払出通路７０を形成するように構成される。
【００４１】
枠側払出通路溝７２は、前枠２から後方に突出するリブ状の通路壁によって形成され前枠２の裏面側に一体成型されている。裏側払出通路溝７３は、裏セット盤３０から前方に突出するリブ状の通路壁によって形成され裏セット盤３０の前面側に一体成型されている。そして裏セット盤３０を閉鎖したときに、枠側払出通路溝７２の通路壁と裏側払出通路溝７３の通路壁とが整合して前後に繋がる通路壁を形成し、これにより枠側払出通路溝７２と裏側払出通路溝７３とが連結した一体の下球払出通路７０を形成する。
【００４２】
裏側払出通路溝７３の上端部には、緩衝誘導突起３８ｄと対向してリブ状の誘導突起７３ｄが形成されており、分岐出口３９から前方に向けて流入する遊技球を下球皿払出通路７０に滑らかに誘導する。枠側払出通路溝７２および裏側払出通路溝７３は、その通路面がともに裏面視において左方向に緩く傾斜した階段状に形成されており、通路内を流下する遊技球が過度に増速しないように抑制しつつ滑らかに流下させる構成になっている。
【００４３】
枠側払出通路溝７２の下部では、後方に傾斜する緩衝誘導突起７２ｅが突出成型されており、通路面を転動流下してきた遊技球を受け止めて流下速度を緩和させるとともに、遊技球を後方に折り返して裏側払出通路溝７３側に導く。裏側払出通路溝７３の下部では前方に傾斜する緩衝誘導突起７３ｅが突出成型されており、前枠側の緩衝誘導突起７２ｅによって誘導されてきた遊技球を受け止めて流下速度を緩和させるとともに遊技球を斜め前方に折り返し下球皿連絡バケット８３に導く。
【００４４】
裏側払出通路溝７３の背後には、後に詳述する基板取付部が形成されている。基板取付部におけるベースプレート１１０には、緩衝誘導突起７３ｅの配設位置および形状に合わせてアース接触辺１１６が前方に曲げ起こし成形されており、ベースプレート１１０を取り付けたときに、アース接触辺１１６が緩衝誘導突起７３ｅの上面を覆って配設され、アース接触辺１１６に接触した遊技球がアース電位に地落されるとともに、衝突による衝撃から緩衝誘導突起７３ｅが保護されるようになっている。
【００４５】
図１０および図１１に示すように、下球皿連絡バケット８３は下側の枠側排出通路溝８２と並んでバケット構造体８０として一体成型されており、部品点数および組立工数を削減した構成になっている。下球皿連絡バケット８３は、平板状の支持フランジ８１から後方に膨出成型され、前面および上面が開放された箱状に形成されている。下球皿連絡バケット８３の上部には上方に突出する流下案内仕切壁８４が形成されており、この流下案内仕切壁８４の前方に回収受容口８６、後方に払出受容口８５が形成されている。
【００４６】
支持フランジ８１には、バケット構造体８０を前枠裏面の所定位置に位置させたときに前枠側のネジ受容ボスと位置整合するネジ挿通孔が複数形成されており、バケット構造体８０を位置決めしネジ挿通孔にネジを挿通させて締め込むことにより前枠２の裏面下部に取り付けられる。そして、このようにバケット構造体８０が取り付けられると、前述した上側の枠側排出通路溝５２と下側の枠側排出通路溝８２とが位置整合し、裏セット盤３０を閉鎖したときに一体の遊技済み球排出通路５０が形成される。
【００４７】
一方、下球皿連絡バケット８３側では、バケットの底面が前方に傾斜して形成されるとともに、その前端部が前枠２を表裏貫通して形成された下球皿連絡口８７と位置整合して配設され、バケット上方の回収受容口８６が、遊技補助盤１０の下部に前枠２の表裏を貫通して形成された集合回収口６６と位置整合して配設される。集合回収口６６の前方上部には、上球皿６に貯留された遊技球を球抜き処理する球抜き通路６３の球抜き口６４が設けられ、正面視における集合回収口６６の左方上部には、遊技補助盤１０のファール球回収口で回収されたファール球を導くファール球回収通路６５の下流端部が形成されている。
【００４８】
このため、上球皿６の球抜き操作時に出口開口６４から排出された遊技球、およびファール球の発生時にファール球回収口に回収された遊技球が集合回収口６６から下方に位置する回収受容口８６を通って下球皿連絡バケット８３に導かれ、この下球皿連絡バケット８３を介して下球皿７に回収される。
【００４９】
また、バケット上方の流下案内仕切壁８４および払出受容口８５は、下球皿払出通路７０と位置整合して配設される。すなわち、流下案内通路壁８４は、その上部が枠側払出通路溝７２における緩衝誘導突起７２ｅの先端部と位置整合してその下側に配設され、流下案内通路壁８４の下部は、裏側払出通路溝７３に突出成型された緩衝誘導突起７３ｅに合わせて上部よりも前方にオフセットされて形成されている。緩衝誘導突起７３ｅは払出受容口８５の上方に位置し、後方から受容口の内方に向けて突出配設される。
【００５０】
裏セット盤３０の下端部は緩衝誘導突起７３ｅよりも下方に延びて係合面７３ｓが形成される一方、下球皿連絡バケット８３の後端には裏セット盤３０が閉鎖されたときに係合面７３ｓと位置整合して係合可能な係合受け面８３ｓが形成され、この支持面８３ｓの上部に緩衝誘導突起７３ｅを受容するための突起受容部８３ｔが切り欠き形成されている。
【００５１】
このため、前枠２の裏面を覆うように裏セット盤３０を閉鎖させたときに、係合面７３ｓが係合受け面８３ｓに当接支持されて前後方向に位置決めされ、緩衝誘導突起７３ｅが突起受容部８３ｔに受容されて払出受容開口８５の上方に突出して配設される。そして、流下案内仕切壁８４の後ろ側に下端のバケット払出口７５で下球皿連絡バケット８３の払出受容口８５と繋がる下球皿払出通路７０が形成される。
【００５２】
なお、支持面８３ｓの上部に切り欠き形成した突起受容部８３ｔに代えて、緩衝誘導突起７３ｅの下面を支持可能な突起支持部を形成してもよい。このような構成によれば、裏セット盤３０を閉鎖したときに緩衝誘導突起７３ｅを支持することで、緩衝誘導突起７３ｅを含む裏セット盤３０全体をその中央部で支持し上下方向にも位置決めすることができる。
【００５３】
このような下球皿払出通路７０を有するパチンコ機では、球払出装置３３から払い出された遊技球は、通常では前述した上球皿払出通路３４を通って上球皿６に流下し、上球皿払出通路３４が仕切壁３４ｗの上端まで充満された状態でさらに遊技球が払い出されたときに、仕切壁３４ｗを越えて、あるいは溢れ球通路３７を転動流下して分岐通路３８に流入し、分岐出口３９から下球皿払出通路７０に流入する。
【００５４】
下球皿払出通路７０に流入した遊技球は、流下方向を左右方向に折り曲げられ、緩い傾斜を有して多段に形成された階段状の通路面により流下速度を抑制されつつ滑らかに転動流下する。この通路の端部では流下方向と直交する立設壁面および後方に突出する緩衝誘導突起７２ｅに受け止められて流下速度が減速されるとともに、流下方向を後方に折り曲げられ、さらに下方の緩衝誘導突起７３ｅ（アース接触辺１１６）に当接して流下速度が緩和され電位的に地落された状態で、下端のバケット払出口７５から払出受容口８５を通って下球皿連絡バケット８３に流入する。そして、このバケット８３の底面傾斜に従って前方に転動し、下球皿連絡口８７を通って下球皿７に流下する。
【００５５】
そして、以上のような構成の下球皿払出通路７０を備えたパチンコ機ＰＭでは、下球皿払出通路７０の前方部分が枠側払出通路溝７２として前枠２に形成されているため、この枠側払出通路溝７２の深さに相当する寸法分、裏セット盤３０の厚さを低減させることができ、例えば図９に示すように、この下球皿払出通路７０の背後に基板が取り付けられるような場合であっても、その取付位置を図６中に付記するＤ寸法の分だけ前方に配設することができる。これにより、従来問題になりがちであった設置スペースの問題や、回路基板の放熱効果の問題、基板設計における回路構成の制約の問題等を改善したパチンコ機を提供することができる。
【００５６】
なお、以上では、遊技盤２０と上下に位置整合し得る遊技補助盤１０を前枠２に一体に形成するとともにその裏面側に、遊技済み球排出通路５０における枠側排出通路通路溝５２、および下球皿払出通路７０における枠側払出通路溝７２を一体成型で形成した例を示したが、前枠２と枠側排出通路通路溝５２、枠側払出通路溝７２が別体に形成されるものであっても同様に構成できる。
【００５７】
例えば、図１３には、方形枠状の前枠に断面視コの字状に曲げ成形した板金製の補助枠９１を取り付け、その前面側に遊技補助盤１０、上方に収容枠１５を形成した形態のパチンコ機への適用例を示したものである。このような経路機構では、前述した枠側排出通路通路溝５２および枠側払出通路溝７２と略同様の通路溝を有する通路溝形成部材９５が補助枠９１と別体に成型され、この通路溝形成部材９５が補助枠９１の裏面側に着脱可能に取り付けられて前枠側の通路溝を形成する。
【００５８】
また、図示する経路機構では、アウト球導出溝が化粧板２１の裏面下部に収容枠１５の支持面まで延びて形成されるとともに、収容枠１５の支持面がアウト球導出溝に合わせて切り欠かれて前方に広い集合出口２９´が形成されており、遊技盤２０の裏面側に排出された遊技済み球が集合出口２９´を通って枠側排出通路溝５２に直接流入可能になっている。
【００５９】
枠側排出通路溝５２には前述同様の緩衝突起５２ｄや緩衝部材５６等が配設されており、遊技済み球の流下速度を減速させる。枠側払出通路溝７２についても前述同様に形成される。従って、このような形態の経路機構においても図１〜図１２を用いて説明した経路機構と同様の効果を得ることができる。なお、図１３では既述したと同様の部分に同一番号を付しており、ここではその余の構成について重複説明を省略する。
【００６０】
さて、裏セット盤３０の裏面側には、以上説明した遊技済み球排出通路５０および下球皿払出通路７０の背後に位置して電源基板取付部１００が設けられ、この電源基板取付部１００の左右に主制御基板取付部１４０、払出制御基板取付部１５０が設けられている。以下、図１４〜図１７の各図を加えて参照しながらこれらの基板取付部について説明する。
【００６１】
ここで、図１４は裏セット盤３０の下部に設けられた各基板取付部の背面図、図１５は電源基板取付部１００を斜め後方から見た斜視図、図１６は電源基板取付部１００におけるスライダ１２０の取付状態を示す平断面図、図１７は遊技済み球排出通路５０および下球皿払出通路７０と電源基板取付部１００との関係を主として示す背面図である。なお、以降では、裏セット盤３０の裏面側の各部の構成を説明するため、裏セット盤３０を裏面側から見た前後・左右方向をもって前後・左右と称して説明する。
【００６２】
電源基板取付部１００の左側に設けられた主制御基板取付部１４０は、裏セット盤３０が後方に膨出成型されて平坦な支持面を有する基板支持部１４１と、基板支持部１４１に後方に突出成型された基板ケース係止フック１４３、基板ケース係止フック１４３に係止された主制御基板の基板ケースをロック保持するロックアーム１４５等からなり、透明な樹脂製の基板ケースに収容された主制御基板４２を基板ケース係止フック１４３により着脱可能に係止し、ロックアーム１４５でロック保持可能になっている。
【００６３】
電源基板取付部１００の右側に設けられた払出制御基板取付部１５０は、裏セット盤３０の裏面が上球皿払出通路３４の後端位置に合わせて後方に膨出成型され平坦な支持面を有する基板支持部１５１と、基板支持部１５１に後方に突出成型されたシールドプレート係止フック１５２、基板支持部１５１に後方に突出成型された基板ケース係止フック１５３、シールドプレート係止フック１５２に係止されたシールドプレート１６０をロック保持するプレートロックアーム１５４、基板ケース係止フック１５３に係合された払出制御基板の基板ケースをロック保持するケースロックアーム１５５等からなる。
【００６４】
基板支持部１５１と払出制御基板の基板ケースとの間に挟持されるシールドプレート１６０は、例えば、メッキ鋼板やステンレス鋼板、アルミ合金板等の薄板金属材料を用いて基板ケースの外形寸法よりもわずかに小型に形成されており、シールドプレート係止フック１５２と係脱可能なフック係合孔１６２、基板ケース係止フック１５３を挿通させるフック挿通孔１６３、プレートロックアーム１５４と係脱可能なロック孔１６４などが加工形成されている。シールドプレート１６０は、基板支持部１５１に形成されたシールドプレート係止フック１５２にフック係合孔１６２を位置合わせして挿通させ、シールドプレート１６０を右方にスライド移動させてプレートロックアーム１５４をロック孔１６４に係合させることで、基板支持部１５１に係止保持される。このとき、基板支持部１５１から後方に突出する基板ケース係止フック１５３はフック挿通孔１６３を通して裏面側に突出配設される。
【００６５】
そして、このように固定保持されたシールドプレート１６０の背後から、払出制御基板４３が収容された基板ケースを基板ケース係止フック１５３に係止させ、基板ケースのアーム係合片をケースロックアーム１５５に係合させることで、払出制御基板４３が着脱可能に係止保持される。このように基板支持部１５１と基板ケースとの間にシールドプレート１６０を挟持させる構成により、前方からの電磁ノイズがシールドされ正確かつ安定した作動を実現している。
【００６６】
なお、詳細図示を省略したが、主制御基板４２の基板ケースには、基板支持部１４１に支持されるケース背面側に、上記シールドプレート１６０と同様のシールドプレートが着脱可能に装着されており、上記説明したと同様に正確かつ安定した作動を実現している。
【００６７】
さて、これらの基板取付部１４０，１５０の間に形成された電源基板取付部１００は、大きくは、基板ケースに収容された電源基板４１を支持するベースプレート１１０と、上下にスライド移動および任意のスライド位置で固定可能に取り付けられてベースプレート１１０に支持された電源基板４１と係脱可能なスライダ１２０とからなり、スライダ１２０を電源基板４１の大きさに応じてスライド移動させて固定することにより、異なる複数種類の大きさの電源基板を係止可能に構成されている。
【００６８】
ベースプレート１１０は、平坦な基板支持面を有して電源基盤４１を支持する基板支持部１１１と、この基板支持部１１１の上部が前方にクランク状に折り曲げられスライダ１２０をスライド移動可能に支持するスライダ支持部１１２とを主体として構成され、シールドプレート１６０と同様の薄板金属材料を用いて公知の加工手段により形成される。
【００６９】
基板支持部１１１における基盤支持面と、スライダ支持部１１２におけるスライダ支持面との前後方向のオフセット量は、スライダ１２０の前後方向寸法（スライドベース１２２の厚さ）よりもわずかに大きめに設定されており、スライダ１２０をスライダ支持部１１２に支持させたときにスライダ１２０の表面が基板支持面よりも前方に位置するようになっている。
【００７０】
基板支持部１１１の下端左右には、電源基板４１の基板ケースを掛止して支持得る基板ケース係止フック１１３，１１３が上方に曲げ起こされて形成されている。また、スライダ支持部１１２の左右には、平断面視において互いに内向きに対向するコの字状のガイドレール１１４，１１４が上下方向に延びて切り起こし成形され、その内側に各２カ所のスライダ支持ボス１０５，１０５を前後に挿通させるボス導出開口１１５，１１５が形成されている。ガイドレール１１４の切り起こし高さは基板支持部１１１の支持面よりも低く形成されている。
【００７１】
基板支持部１１１には、下球皿払出通路７０における緩衝誘導突起７３ｅと位置整合するアース接触辺１１６が前方に曲げ成型されている。基板支持部１１１およびスライダ支持部１１２の各部には、ベースプレート１１０をネジ固定するためのネジ挿通孔が、次述するベースプレート取付ボス１０２の形成位置に合わせて複数形成されている。
【００７２】
スライダ１２０は、基板となるスライドベース１２２、スライドベース１２２の左右に上下に延びて成型されガイドレール１１４，１１４と係脱可能なスライドトラック１２４，１２４、これらのスライドトラック１２４，１２４の内側に上下に延びる段付き長穴状に形成されたスライダ取付孔１２５，１２５、スライドベース１２２の上部に下向きに突出成型された基板ケース係止フック１２３，１２３などを主体として構成される。スライダ１２０は、例えばＡＢＳ樹脂等の樹脂材料を用いて射出成型等の成形手段により一体成型される。
【００７３】
左右のスライドトラック１２４，１２４は、ガイドレール１１４，１１４の形状寸法と合わせて形成されており、ベースプレート１１０の上方からスライダ１２０を導入し左右のスライドトラック１２４，１２４をガイドレール１１４，１１４に位置合わせして係合させることで、スライダ１２０が上下にスライド移動自在に支持される。
【００７４】
一方、裏セット盤３０の裏面側には、遊技済み球排出通路５０および下球皿払出通路７０の背後に位置して、基板支持部１１１およびスライダ支持部１１２の背面を支持する支持リブ１０１が各支持部の高さ位置に合わせて後方に突出成型され、マトリクス状に形成された各支持リブ１０１の交点部分にはネジを受容するベースプレート取付ボス１０２が形成されている。前方の球通路５０，７０との間を仕切る壁面には、スライダ支持部１１２のボス導出開口１１５，１１５と位置整合してスライダ支持ボス１０５，１０５が後方に突出成型され、下球皿払出通路７０における緩衝誘導突起７３ｅの直上部にはアース接触辺１１６を挿通させるアース接触辺挿通スリット１０６がこの壁面を貫通して形成されている。
【００７５】
ベースプレート１１０は、アース接触辺１１６をアース接触辺挿通スリット１０６から下球皿払出通路７０の通路内に挿通させて緩衝誘導突起７３ｅの上面を覆うように配設し、位置合わせしたネジ挿通孔とベースプレート取付ボス１０２に基板支持部１１１およびスライダ支持部１１２の後方からネジ１１９を螺合締結させることにより裏セット盤３０の裏面側に取り付けられる。このとき、スライダ支持ボス１０５，１０５がスライダ支持部１１２のボス導出開口１１５，１１５を通り、このボスの前端部がスライダ取付孔１２５，１２５を通って、スライダ支持ボス１０５の外周面とスライダ取付孔１２５の内周面とが係合する。
【００７６】
ここで、スライダ支持ボス１０５の外径はスライダ取付孔１２５の開口幅よりも幾分小さめに設定されるとともに、スライダ支持ボス１０５の前端面の配設位置がスライダ取付孔１２５の開口面（段付きの取付孔１２５における小径側の開口座面）よりもわずかに前方に位置するように設定されている。また、段付きの取付孔１２５における大径側の開口幅は、使用する平座金１２６の外径よりも大きく、その奥行きはスライダ取付ネジ１２７の頭部が後方に突出しない寸法に形成されている。このため、図１６に示すように、スライダ１２０の後方から平座金１２６を介してスライダ取付ネジ１２７を螺合させ、このネジを幾分緩めの締結状態としたときに、スライダ取付ネジ１２７の頭部がスライドベース１２２から後方に突出することがなく、スライダ１２０が一定の規制力を受けつつ人為的には上下にスライド移動可能になっている。
【００７７】
なお、スライドベース１２２の上部中央にはスライダ固定ネジ１２８が螺合されている。スライダ固定ネジ１２８は、その前端部分がネジの螺合に応じてスライドベース１２２から出没可能になっており、スライダ１２０を任意のスライド位置に位置させた状態でスライダ固定ネジ１２８を締め込むことにより、先端部をスライドベース１２２から前方に突出させ、スライダ支持部１１２に係合させてスライダ１２０を固定可能になっている。このため、作業者はスライダ固定ネジ１２８を緩めた状態でスライダ１２０を上下にスライド移動させることができ、またスライダ固定ネジ１２８を締め込むことにより所望の高さ位置でスライダ１２０を固定することもできる。
【００７８】
このようにスライド移動および固定が自在に支持されたスライダ１２０では、このスライダ１２０の厚さに合わせてオフセット成型されたベースプレート１１０の構成により、スライダ１２０の後面が基板支持部１１１の支持面（基板支持面）よりもわずかに前方に位置して配設される。このため、基板支持部１１１の下部に上向きに突出成形された基板係止フック１１３，１１３、およびスライドベース１２２の上部に下向きに突出成型された基板ケース係止フック１２３，１２３は、ともに基板支持面を基準として上下に対向し、電源基板４１のベース部を上下から挟持するようにして係止可能に配設される。
【００７９】
また、基板支持部１１１の下端部には、下球皿連絡バケット８３の後端に突出形成された係止ボス８８と位置整合する裏セット盤係止フック１１８が左右に揺動自在に枢結されている。このため、裏セット盤３０を閉鎖して前述した裏セット盤前面下部の係合面７３ｓと下球皿連絡バケット８３の係合受け面８３ｓとを係合させ、係止フック１１８を係止ボス８８に螺着されたネジ８９に係合させてネジ８９を締め込むことで、裏セット盤３０の下部中央を前枠２に閉鎖保持し得るようになっている（図９を参照）。これにより、大型枠材ゆえに浮き上がりがちであった裏セット盤３０の中央部が着実に閉鎖保持され、無用の振動や騒音発生等を効果的に抑制することができる。特に、前枠２および裏セット盤３０の整合により中央部に球通路５０，７０が形成される本経路機構にとって好適な構成である。
【００８０】
電源基板４１は、トランスやコンデンサ等の各種素子が実装されたプリント配線基板と、このプリント配線基板を支持する台座状のベース部と、プリント配線基盤の後方を覆って基板を保護するパンチメタル製の基板ケースとからなり、基板ケースから上下に延出されたベース部のうち下部のベース部には、基板ケース係止フック１１３の配設位置に合わせてアース回路が形成されている。
【００８１】
さて、このように構成された電源基板取付部１００では、まずスライダ１２０を上方にスライドさせて基板係止フック１２３を上方に待避させたうえ、電源基板４１のベース部を基板係止フック１１３に掛止して前方に傾倒し、電源基板４１の背面を基板支持面に支持させる。次いで、スライダ１２０を下方にスライド移動させ、基板係止フック１２３を上方のベース部に掛止させて、上下の係止フック１１３，１２３で電源基板４１のベース部を上下に挟み込むように挟持させる。そして、スライダ固定ネジ１２８を締め込みスライダ１２０を固定することにより、電源基板４１が基板取付部１００に固定保持される。
【００８２】
このとき、電源基板４１の取着とともにベースプレート１１０が電源基板４１のアース回路を介してアース接続され、下球皿払出通路７０内に配設されたアース接触辺７３ｅにより、この球通路を流下する遊技球の電位がアース電位に落とされる。このため、電源基板４１の前方で生じ得る電磁ノイズの発生を抑制し、ならびに遮断して正確かつ安定した作動を確保できる。
【００８３】
従って、以上のように構成された電源基板取付部１００によれば、スライダ１２０を任意のスライド位置に固定することができるため、例えばパチンコ機の機種構成により電源基板４１の大きさが異なるような場合であっても、電源基板４１の大きさに応じてスライダ１２０を移動・固定することにより着脱自在に取り付けることができる。また、電源基板取付部１００が遊技済み球排出通路５０および下球皿払出通路７０の背後に形成されているため、図６および図９に示したように電源基板４１を前方に配設することができ、これにより電源基板後方のクリアランスを増大させて回路基板の放熱効果の問題や、回路基板の回路構成の問題等を改善することができる。また回路基板の後端位置を従来と同一とすれば、これまで部品高さにより実装が困難とされた大型のコンデンサ等を実装することができ、これにより回路構成を簡明化し、あるいは基板面積を縮小した基板構成にすることも可能になる。
【００８４】
さらに、スライダ１２０が電源基板４１の前方でスライド移動する構成のため、電源基板４１の大きさとほぼ同じ面積内に上記のような調整機能を備えた基板取付部を形成することができ、限られた面積および厚さ寸法内でスペース効率よく種々の回路基板を着脱可能なパチンコ機を構成することができる。
【００８５】
なお、実施例ではスライダ取付ネジ１２７を緩めの締結状態にすることで、スライダ１２０に一定の規制力を与えつつ人為的にスライド移動可能に配設した構成例を示したが、例えば、スライダ支持ボス１０５の端部に幾分小径の座部を設け、平座金１２６とスライダ取付ネジ１２７との間にウェーブワッシャまたは皿バネ座金等を挟持させてスライダ取付ネジ１２７を締め込むように構成してもよく、座部およびスライダ取付ネジ１２７に代えて小型のショルダボルトを用いて皿バネ座金等を挟持させて締め込むように構成にしてもよい。
【００８６】
また、遊技盤２０から裏面側に排出されるアウト球とセーフ球とを球寄せカバー２８で集合させて流下させる形態を示したが、これらの遊技球が各個別の球排出通路を通って排出される形態や球排出通路の途上で集合される形態であっても同様に構成し同様の効果を得ることができる。
【００８７】
【発明の効果】
以上説明したように、本発明では、遊技盤を立設姿勢で収容保持する枠部材と、枠部材の裏面側に配設される裏セット盤とを備えた弾球遊技機において、裏セット盤の前面側に前方に開く裏側排出通路溝を形成するとともに、枠部材の裏面側に後方に開く枠側排出通路溝を形成し、枠部材の裏面側に裏セット盤を閉鎖させたときに、裏側排出通路溝と枠側排出通路溝とが位置整合して対向し、遊技盤から排出された遊技済み球を球排出口に導く球排出通路が形成されるように経路機構を構成する。
【００８８】
このような経路機構によれば、枠部材に形成した枠側排出通路溝の溝深さ分だけ裏側排出通路溝の奥行きを低減することができ、これにより裏セット盤の厚さを低減して薄型に構成することができる。
【図面の簡単な説明】
【図１】本発明を適用した弾球遊技機の一例として示すパチンコ機の正面図である。
【図２】上記パチンコ機の背面図である。
【図３】外枠を取り外し裏セット盤を開放した状態におけるパチンコ機の背面図である。
【図４】上記パチンコ機の平断面図である。
【図５】遊技済み球排出通路および下球皿払出通路の要部を示す背面図である。
【図６】図５中の矢印VI−VIに沿った遊技済み球排出通路を主として示す側断面図である。
【図７】払出通路の通路構成を示すパチンコ機の平断面図である。
【図８】図７中の矢印VIII−VIIIに沿った側断面図である。
【図９】図５中の矢印IX−IXに沿った側断面図である。
【図１０】バケット構造体を斜め後方から見た斜視図である。
【図１１】上記バケット構造体の平面図である。
【図１２】図６および図９中の矢印XII−XIIに沿った平断面図である。
【図１３】枠側排出通路通路溝および枠側払出通路溝の他の構成例を示す斜視図である。
【図１４】裏セット盤の下部に設けられた各基板取付部の背面図である。
【図１５】電源基板取付部を斜め後方から見た斜視図である。
【図１６】電源基板取付部におけるスライダの取付状態を示す平断面図である。
【図１７】遊技済み球排出通路および下球皿払出通路と電源基板取付部との関係を主として示す背面図である。
【符号の説明】
ＢＫ  回収バケット
ＰＡ  遊技領域
ＰＭ  パチンコ機
１  外枠
２  前枠
３ａ，３ｂ  ヒンジ機構
４  施錠装置
５  ガラス扉
６  上球皿
７  下球皿
８  操作ハンドル
１０  遊技補助盤
１１  遊技球発射装置
１２  発射レール
１５  収容枠
１６  クランプレバー
１７ａ，１７ｂ  ヒンジ機構
１８  ロックレバー
１９  閉鎖レバー
２０  遊技盤
２１  化粧板
２４  入賞具
２５  画像表示装置
２６  アウト口
２７  球寄せカバー
２８  球寄せカバー
２９，２９´  集合出口
３０  裏セット盤
３１  球貯留タンク
３２  整列通路
３３  球払出装置
３４  上球皿払出通路（３４ｗ  仕切壁）
３５  通出口
３６  通出樋
３７  溢れ球通路
３８  分岐通路（３８ｄ  緩衝誘導突起）
３９  分岐出口
４１  電源基盤
４２  主制御基板
４３  払出制御基板
４４  ランプ・音声制御基板
４６  ターミナル基板
５０  遊技済み球排出通路
５２  枠側排出通路溝（５２ｄ  緩衝突起）
５３  裏側排出通路溝（５３ｄ  緩衝突起、５３ｅ  緩衝誘導突起）
５４  球詰まり検出レバー
５５  球詰まり検出器
５６  緩衝部材
５７  導出通路壁
５８  通路壁
５９  球排出口
６３  球抜き通路
６４  球抜き口
６５  ファール球回収通路
６６  集合回収口
７０  下球皿払出通路
７２  枠側払出通路溝（７２ｅ  緩衝誘導突起）
７３  裏側払出通路溝
（７３ｄ  誘導突起、７３ｅ  緩衝誘導突起、７３ｓ  係合面）
８０  バケット構造体
８１  支持フランジ
８２  枠側排出通路溝
８３  下球皿連絡バケット（８３ｓ  係合受け面、８３ｔ突起受容部）
８４  流下案内仕切壁
８５  払出受容口
８６  回収受容口
８７  下球皿連絡口
８８  係止ボス
８９  ネジ
９１  補助枠
９５  通路溝形成部材
１００  電源基板取付部
１０１  支持リブ
１０２  ベースプレート取付ボス
１０５  スライダ支持ボス
１０６  アース接触辺挿通スリット
１１０  ベースプレート
１１１  基板支持部
１１２  スライダ支持部
１１３  基板ケース係止フック
１１４  ガイドレール
１１５  ボス導出開口
１１６  アース接触辺
１１８  裏セット盤係止フック
１１９  ネジ
１２０  スライダ
１２２  スライドベース
１２３  基板ケース係止フック
１２４  スライドトラック
１２５  スライダ取付孔
１２６  平座金
１２７  スライダ取付ネジ
１２８  スライダ固定ネジ
１４０  主制御基板取付部
１４１  基板支持部
１４３  基板ケース係止フック
１４５  ロックアーム
１５０  払出制御基板取付部
１５１  基板支持部
１５２  シールドプレート係止フック
１５３  基板ケース係止フック
１５４  プレートロックアーム
１５５  ケースロックアーム
１６０  シールドプレート
１６２  係止フック係合孔
１６３  フック挿通孔
１６４  ロック孔
【図１】
0004399183.tif 000002
【図２】
0004399183.tif 000003
【図３】
0004399183.tif 000004
【図４】
0004399183.tif 000005
【図５】
0004399183.tif 000006
【図６】
0004399183.tif 000007
【図７】
0004399183.tif 000008
【図８】
0004399183.tif 000009
【図９】
0004399183.tif 000010
【図１０】
0004399183.tif 000011
【図１１】
0004399183.tif 000012
【図１２】
0004399183.tif 000013
【図１３】
0004399183.tif 000014
【図１４】
0004399183.tif 000015
【図１５】
0004399183.tif 000016
【図１６】
0004399183.tif 000017
【図１７】
0004399183.tif 000018